(57)【要約】【課題】主に自動車の音響機器や空調機器等の操作に用いられる入力装置に関し、複数のスイッチ接点の検出時間が短く、操作性の良好なものを提供することを目的とする。【解決手段】制御手段１７が第２のスイッチ接点６の接離データを第２の記憶領域２４に代えて、第１の記憶領域２２の空き記憶アドレスに書き込むと共に、第１の記憶領域２２のみを読み取ることによって、第１のスイッチ接点５の数が第１の記憶領域２２の記憶アドレス２１の数より少ない場合、制御手段１７が読み取る記憶アドレスの個数を少なくでき、複数のスイッチ接点のＯＮ・ＯＦＦの検出時間を短くすることができるため、操作性の良好な入力装置を得ることができる。【選択図】図１
2009003593.tif 000002
【特許請求の範囲】
【請求項１】
マトリックス状に配列された複数の第１のスイッチ接点と、この第１のスイッチ接点とは個別に配設された第２のスイッチ接点と、上記第１のスイッチ接点の電気的接離の接離データを、マトリックス状に配列された第１の記憶領域に、上記第２のスイッチ接点の接離データを、上記第１の記憶領域とは個別に設けられた第２の記憶領域に各々書き込んだ後に、上記第１及び第２の記憶領域を読み取って上記接離データを検出する制御手段からなり、上記制御手段が上記第２のスイッチ接点の接離データを上記第２の記憶領域に代えて、上記第１の記憶領域の空き記憶アドレスに書き込むと共に、所定の記憶領域のみを読み取る入力装置。
【発明の詳細な説明】
【技術分野】
【０００１】
本発明は、主に自動車の音響機器や空調機器等の操作に用いられる入力装置に関するものである。
【背景技術】
【０００２】
近年、車室内のフロントパネル部に、様々な機能の操作部を備えた入力装置を配置し、これらによってオーディオやエアコン等の各種電子機器の操作を行なうものが増えている。
【０００３】
このような入力装置について、主にオーディオ用の入力装置を例に、図３〜図５を用いて説明する。
【０００４】
図３（ａ）は入力装置の外観図、図４は従来の入力装置のブロック回路図であり、同図において、１は後面開口で絶縁樹脂製の略箱状のケースで、このケース１前面には、例えばオーディオの各種機能を示す記号や文字が表示された複数の操作ボタン２が、上下左右に配列されて前後動可能に装着されると共に、これら複数の操作ボタン２とは離れた位置に、個別の操作ボタン３が前後動可能に装着されている。
【０００５】
そして、ケース１内の後方には表裏面に複数の配線パターン（図示せず）が形成された配線基板４が収納されると共に、プッシュスイッチなどの複数の第１のスイッチ接点５が配線基板４にマトリックス状に配列され、複数の操作ボタン２への押圧操作に応じて対向する第１のスイッチ接点５の電気的接離が行なわれるように形成されている。
【０００６】
また、これらのマトリックス状に配列された第１のスイッチ接点５と個別の位置には、第２のスイッチ接点６が配設され、操作ボタン３への押圧操作に応じて第２のスイッチ接点６の電気的接離が行なわれるように形成されている。
【０００７】
さらに、７は配線基板４に実装されたマイクロコンピュータなどの制御手段で、図４に示すように、複数の入力ポート８及び複数の出力ポート９や、これらとは個別の入力ポート１０が設けられている。
【０００８】
そして、制御手段７には、例えば３個の入力ポート８と３個の出力ポート９に対応してマトリックス状に配列された、９個の記憶アドレス１１からなる第１の記憶領域１２と、入力ポート１０に対応した記憶アドレス１３からなる第２の記憶領域１４が各々設けられている。
【０００９】
また、複数の第１のスイッチ接点５の一端が抵抗等を介して所定の入力ポート８に接続され、他端が抵抗やトランジスタ１５等を介して所定の出力ポート９に接続されると共に、第２のスイッチ接点６は入力ポート１０に接続されて入力装置が構成されている。
【００１０】
なお、このような入力装置の操作ボタン２の配列は、図３（ａ）に示したような配置のもののほか、車種やグレードによって、例えば図３（ｂ）や（ｃ）に示すように、様々な位置に操作ボタン２が配列されたものがあり、これらの操作ボタン２の配置によって、対向する第１のスイッチ接点５の数やマトリックス状配列の位置も異なる。
【００１１】
つまり、複数の操作ボタン２が図３（ａ）のように配列された場合には、下段中央と下段右列には第１のスイッチ接点５が設けられておらず、図３（ｂ）の場合には中段中央と下段中央、図３（ｃ）の場合には下段左列と下段右列には、各々第１のスイッチ接点５が設けられていない。
【００１２】
そして、このような車種やグレードによる複数の操作ボタン２や第１のスイッチ接点５の数や配列に対応するため、制御手段７には上述したように、例えば３段３列のマトリックス状に配列された、９個の記憶アドレス１１からなる第１の記憶領域１２の設けられたものが用いられている。
【００１３】
また、このような入力装置が、車室内のフロントパネル部に装着されると共に、制御手段７がコネクタやリード線（図示せず）等によって、オーディオやエアコン等の各種電子機器または自動車の電子回路等に電気的に接続される。
【００１４】
以上の構成において、図３（ａ）に示す入力装置の複数の操作ボタン２や個別の操作ボタン３が押圧操作されていない状態では、図４に示すように、全ての第１のスイッチ接点５や第２のスイッチ接点６がＯＦＦ状態となっている。
【００１５】
したがって、この状態では、制御手段７の複数の出力ポート９から順次出力されるハイレベルであるハイ信号と、ＯＦＦ状態の第１のスイッチ接点５に対応する入力ポート８には電源部１６からのハイ信号が入力されるため、各記憶アドレス１１にはＯＦＦの接離データ“１”が書き込まれる。
【００１６】
なお、記憶アドレス１１Ｈと１１Ｉには、対応する第１のスイッチ接点５がなく、接離データもないため空き記憶アドレスとなっている。
【００１７】
また、同じく第２のスイッチ接点６がＯＦＦ状態の入力ポート１０にも、同様に電源部１６からハイ信号が入力されて、接離データ“１”が記憶アドレス１３に書き込まれる。
【００１８】
そして、例えば、図３（ａ）に示すように、ラジオ機能の「ＦＭ・ＡＭ」が表示された操作ボタン２Ａを押圧操作すると、図５（ａ）のブロック回路図に示すように、押圧された操作ボタン２Ａに対応する第１のスイッチ接点５ＡがＯＮとなって、第１のスイッチ接点５Ａの一端が接続された制御手段７の出力ポート９からのハイ信号の出力と、他端が接続された入力ポート８へのローレベルのロー信号の入力によって、ＯＮの接離データ“０”が記憶アドレス１１Ａに書き込まれる。
【００１９】
なお、他の第１のスイッチ接点５はＯＦＦ状態であるため、他の記憶アドレス１１にはＯＦＦの接離データ“１”が書き込まれると共に、記憶アドレス１１Ｈと１１Ｉは空き記憶アドレスとなり、また、第２のスイッチ接点６もＯＦＦ状態であるため、記憶アドレス１３にも接離データ“１”が書き込まれる。
【００２０】
さらに、この後、制御手段７が、全ての記憶アドレス１１と記憶アドレス１３を順次読み取り、記憶アドレス１１Ａの接離データのみが“０”であることを検出し、所定の信号を車両のオーディオに送信することによって、ラジオ機能が選択され実行される。
【００２１】
また、例えばオーディオの音を一時消音するために、図３（ａ）に示すように、複数の操作ボタン２とは個別に配置され、「ＭＵＴＥ」が表示された操作ボタン３を押圧操作すると、図５（ｂ）に示すように、操作ボタン３に対向した第２のスイッチ接点６がＯＮとなって、ロー信号が入力ポート１０に入力され、記憶アドレス１３に接離データ“０”が書き込まれる。
【００２２】
そして、この後、制御手段７が同様に、記憶アドレス１１と記憶アドレス１３を順次読み取って、記憶アドレス１３の接離データのみが“０”であることを検出し、所定の信号を車両のオーディオに送信して、オーディオ音の消音が行なわれる。
【００２３】
なお、以上のように操作ボタン２や３を押圧操作し、第１のスイッチ接点５や第２のスイッチ接点６がＯＮする際、短時間にＯＮとＯＦＦが繰返される状態、所謂チャタリングが生じると、このチャタリングによって制御手段７がスイッチ接点のＯＮやＯＦＦを誤検出する場合がある。
【００２４】
したがって、このような誤検出を防ぐため、通常、制御手段７が記憶領域１２や記憶領域１４の接離データの読み取りを行なう際には、各記憶アドレス１１及び記憶アドレス１３の順次読み取りを所定回数繰返して行ない、各記憶アドレスで同じ接離データを検出した時に、その接離データを正しいものと判断して、対応する所定の信号を車両の電子機器に送信するようになっている。
【００２５】
つまり、制御手段７が９個の記憶アドレス１１と記憶アドレス１３の、計１０個の各アドレスを順次読み取ることを例えば３回繰返した場合、１個の記憶アドレスの接離データの検出に３０マイクロ秒を要するとすると、１０個合計で３００マイクロ秒の時間が必要となり、各スイッチ接点の検出に比較的長い時間を要するものであった。
【００２６】
なお、この出願の発明に関連する先行技術文献情報としては、例えば、特許文献１が知られている。
【特許文献１】特開２００４−１８６０１８号公報
【発明の開示】
【発明が解決しようとする課題】
【００２７】
しかしながら、上記従来の入力装置においては、制御手段７が全ての記憶アドレス１１と記憶アドレス１３を、例えば３回繰返して順次読み取り、接離データを検出して判断しているため、各スイッチ接点の検出に比較的長い時間を要してしまうという課題があった。
【００２８】
本発明は、このような従来の課題を解決するものであり、複数のスイッチ接点の検出時間が短く、操作性の良好な入力装置を提供することを目的とする。
【課題を解決するための手段】
【００２９】
上記目的を達成するために本発明は、制御手段が第２のスイッチ接点の接離データを第２の記憶領域に代えて、第１の記憶領域の空き記憶アドレスに書き込むと共に、所定の記憶領域のみを読み取るようにして入力装置を構成したものであり、第１のスイッチ接点の数が第１の記憶領域の記憶アドレスの数より少ない場合、制御手段が読み取る記憶アドレスの個数を少なくでき、複数のスイッチ接点のＯＮ・ＯＦＦの検出時間を短くすることができるため、操作性の良好な入力装置を得ることができるという作用を有するものである。
【発明の効果】
【００３０】
以上のように本発明によれば、複数のスイッチ接点の検出時間が短く、操作性の良好な入力装置を実現することができるという有利な効果が得られる。
【発明を実施するための最良の形態】
【００３１】
以下、本発明の実施の形態について、主にオーディオ用の入力装置を例に、図１〜図３を用いて説明する。
【００３２】
なお、背景技術の項で説明した構成と同一構成の部分には同一符号を付して、詳細な説明を簡略化する。
【００３３】
（実施の形態）
図１は本発明の一実施の形態による入力装置のブロック回路図、図３（ａ）は入力装置の外観図であり、同図において、１は後面開口で絶縁樹脂製の略箱状のケースで、このケース１前面には、例えばオーディオの各種機能を示す記号や文字が表示された複数の操作ボタン２が、上下左右に配列されて前後動可能に装着されると共に、これら複数の操作ボタン２とは離れた位置に、個別の操作ボタン３が前後動可能に装着されている。
【００３４】
そして、ケース１内の後方には表裏面に複数の配線パターン（図示せず）が形成された配線基板４が収納されると共に、プッシュスイッチなどの複数の第１のスイッチ接点５が配線基板４にマトリックス状に配列され、複数の操作ボタン２への押圧操作に応じて対向する第１のスイッチ接点５の電気的接離が行なわれるように形成されている。
【００３５】
また、これらのマトリックス状に配列された第１のスイッチ接点５と個別の位置には、第２のスイッチ接点６が配設され、操作ボタン３への押圧操作に応じて第２のスイッチ接点６の電気的接離が行なわれるように形成されている。
【００３６】
さらに、１７は配線基板４に実装されたマイクロコンピュータなどの制御手段で、図１に示すように、複数の入力ポート１８及び複数の出力ポート１９や、これらとは個別の入力ポート２０が設けられている。
【００３７】
そして、制御手段１７には、例えば３個の入力ポート１８と３個の出力ポート１９に対応してマトリックス状に配列された、９個の記憶アドレス２１からなる第１の記憶領域２２と、入力ポート２０に対応した記憶アドレス２３からなる第２の記憶領域２４が各々設けられている。
【００３８】
また、複数の第１のスイッチ接点５の一端が抵抗等を介して所定の入力ポート１８に接続され、他端が抵抗やトランジスタ１５等を介して所定の出力ポート１９に接続されると共に、第２のスイッチ接点６は入力ポート２０に接続されている。
【００３９】
さらに、制御手段１７が第１のスイッチ接点５や第２のスイッチ接点６の電気的接離を検出する際、第２のスイッチ接点６の入力ポート２０を介した接離データを、第２の記憶領域２４の記憶アドレス２３ではなく、記憶領域２２の空き記憶アドレス、例えば記憶アドレス２１Ｈに書き込むようにして、入力装置が構成されている。
【００４０】
そして、このような入力装置が、車室内のフロントパネル部に装着されると共に、制御手段１７がコネクタやリード線（図示せず）等によって、オーディオやエアコン等の各種電子機器または自動車の電子回路等に電気的に接続される。
【００４１】
以上の構成において、図３（ａ）に示す入力装置の複数の操作ボタン２や個別の操作ボタン３が押圧操作されていない状態では、図１に示すように、全ての第１のスイッチ接点５や第２のスイッチ接点６がＯＦＦ状態となっている。
【００４２】
したがって、この状態では、制御手段７の複数の出力ポート１９から順次出力されるハイレベルであるハイ信号と、ＯＦＦ状態の第１のスイッチ接点５に対応する入力ポート１８には電源部１６からのハイ信号が入力されるため、各記憶アドレス２１にはＯＦＦの接離データ“１”が書き込まれる。
【００４３】
そして、第２のスイッチ接点６がＯＦＦ状態の入力ポート２０にも、同じく電源部１６からハイ信号が入力されるが、この時、この接離データ“１”は記憶アドレス２３ではなく、記憶アドレス２１Ｈに書き込まれ、対応する接離データのない記憶アドレス２１Ｉと２３は空き記憶アドレスとなる。
【００４４】
そして、例えば、図３（ａ）に示すように、ラジオ機能の「ＦＭ・ＡＭ」が表示された操作ボタン２Ａを押圧操作すると、図２（ａ）のブロック回路図に示すように、押圧された操作ボタン２Ａに対応する第１のスイッチ接点５ＡがＯＮとなって、第１のスイッチ接点５Ａの一端が接続された制御手段１７の出力ポート１９からのハイ信号の出力と、他端が接続された入力ポート１８へのローレベルのロー信号の入力によって、ＯＮの接離データ“０”が記憶アドレス２１Ａに書き込まれる。
【００４５】
なお、他の第１のスイッチ接点５や第２のスイッチ接点６はＯＦＦ状態であるため、記憶アドレス２１Ｈや他の記憶アドレス２１には接離データ“１”が書き込まれ、記憶アドレス２１Ｉと２３は空き記憶アドレスとなる。
【００４６】
さらに、この後、制御手段１７が、第１の記憶領域２２の全ての記憶アドレス２１のみを順次読み取り、記憶アドレス２１Ａの接離データのみが“０”であることを検出し、所定の信号を車両のオーディオに送信することによって、ラジオ機能が選択され実行される。
【００４７】
また、例えばオーディオの音を一時消音するために、図３（ａ）に示すように、複数の操作ボタン２とは個別に配置され、「ＭＵＴＥ」が表示された操作ボタン３を押圧操作すると、図２（ｂ）に示すように、操作ボタン３に対向した第２のスイッチ接点６がＯＮとなって、ロー信号が入力ポート２０に入力され、記憶アドレス２１Ｈに接離データ“０”が書き込まれる。
【００４８】
そして、この後、制御手段１７が同様に、第１の記憶領域２２の全ての記憶アドレス２１のみを順次読み取って、記憶アドレス２１Ｈのみの接離データが“０”であることを検出し、所定の信号を車両のオーディオに送信して、オーディオ音の消音が行なわれる。
【００４９】
なお、以上のように操作ボタン２や３を押圧操作し、第１のスイッチ接点５や第２のスイッチ接点６がＯＮする際、短時間にＯＮとＯＦＦが繰返される状態、所謂チャタリングが生じると、このチャタリングによって制御手段１７がスイッチ接点のＯＮやＯＦＦを誤検出する場合がある。
【００５０】
したがって、このような誤検出を防ぐため、制御手段１７が接離データの読み取りを行なう際には、第１の記憶領域２２内のみの全ての記憶アドレス２１の順次読み取りを所定回数繰返して行ない、各記憶アドレスで同じ接離データを検出した時に、その接離データを正しいものと判断して、対応する所定の信号を電子機器に送信するように構成されている。
【００５１】
つまり、記憶アドレスの順次読み取りを例えば３回繰返す場合、１個の記憶アドレスの接離データの検出に３０マイクロ秒を要するとすると、本実施の形態においては、制御手段１７が第２の記憶領域２４の記憶アドレス２３の読み取りは行なわず、第１の記憶領域２２の計９個の記憶アドレスのみを読み取るため、２７０マイクロ秒となり、３０マイクロ秒分のスイッチ接点のＯＮ・ＯＦＦの検出時間を短縮することができるようになっている。
【００５２】
すなわち、第１のスイッチ接点５の数が第１の記憶領域２２の記憶アドレス２１の数より少ない場合には、制御手段１７が第２のスイッチ接点６の接離データを第２の記憶領域２４に代えて、第１の記憶領域２２の空き記憶アドレスである記憶アドレス２１Ｈに書き込むと共に、記憶アドレス２３のみを読み取ることによって、制御手段１７が読み取る記憶アドレスの個数を少なくでき、複数のスイッチ接点のＯＮ・ＯＦＦの検出時間を短くすることが可能なように構成されている。
【００５３】
なお、以上の説明では、図３（ａ）に示したような操作ボタン２の配列で、第２のスイッチ接点６の接離データを、空き記憶アドレスの記憶アドレス２１Ｈに書き込む場合について説明したが、例えば図３（ｂ）に示したような操作ボタン２の配列の場合には、図１に示す第１の記憶領域２２の中段中央と下段中央が空き記憶アドレスとなり、図３（ｃ）の場合には、下段左列と下段右列が空き記憶アドレスとなるため、これらのいずれかの空き記憶アドレスに第２のスイッチ接点６の接離データを書き込むようにすればよい。
【００５４】
また、以上の説明では、オーディオ用の入力装置を例として、記憶領域２２が９個の記憶アドレス２１から形成され、第１のスイッチ接点５が７個で第２のスイッチ接点６が１個の場合について説明したが、実際には、車両によってはエアコンやカーナビゲーションシステムなど多数の電子機器を備えたものが多く、例えば第１のスイッチ接点５が５０個で、第２のスイッチ接点６が５個となった場合には、この５個の第２のスイッチ接点６の接離データを、第１の記憶領域２２の空き記憶アドレスに書き込むことによって、読み取り時間を１５０マイクロ秒も短縮することができ、大幅なスイッチ接点の検出時間の短縮を図ることができる。
【００５５】
このように本実施の形態によれば、制御手段１７が第２のスイッチ接点６の接離データを第２の記憶領域２４に代えて、第１の記憶領域２２の空き記憶アドレスに書き込むと共に、第１の記憶領域２２のみを読み取ることによって、第１のスイッチ接点５の数が第１の記憶領域２２の記憶アドレス２１の数より少ない場合、制御手段１７が読み取る記憶アドレスの個数を少なくでき、複数のスイッチ接点のＯＮ・ＯＦＦの検出時間を短くすることができるため、操作性の良好な入力装置を得ることができるものである。
【産業上の利用可能性】
【００５６】
本発明による入力装置は、複数のスイッチ接点の検出時間が短く、操作性の良好なものを実現することができ、主に自動車の音響機器や空調機器等の操作用として有用である。
【図面の簡単な説明】
【００５７】
【図１】本発明の一実施の形態による入力装置のブロック回路図
【図２】同操作時のブロック回路図
【図３】同外観図
【図４】従来の入力装置のブロック回路図
【図５】同操作時のブロック回路図
【符号の説明】
【００５８】
１  ケース
２、３  操作ボタン
４  配線基板
５  第１のスイッチ接点
６  第２のスイッチ接点
１５  トランジスタ
１６  電源部
１７  制御手段
１８、２０  入力ポート
１９  出力ポート
２１、２１Ａ、２１Ｈ、２１Ｉ、２３  記憶アドレス
２２  第１の記憶領域
２４  第２の記憶領域
【図１】
2009003593.tif 000003
【図２】
2009003593.tif 000004
【図３】
2009003593.tif 000005
【図４】
2009003593.tif 000006
【図５】
2009003593.tif 000007